(57)【要約】【課題】温度検出による倍率補正制御機構を備えた光ビーム走査装置および画像形成装置において、制御機構を複雑にせずに、制御機構にかかるコストを抑え、かつ倍率補正精度の向上を図る。【解決手段】ポリゴンミラー４を下密閉ケース１４と上密閉ケース１５により密閉状態に被覆し、ポリゴンモータ３とポリゴンミラー４からなる偏向器部分の高温空気が、ポリゴンミラー４の回転によりｆθレンズ５側に流出することを防ぎ、ｆθレンズ５の温度上昇を小さくし、かつ急激な温度上昇，変動が生じることを防ぐ。これにより、温度検出による倍率補正の補正制御範囲を小さくできるため、制御機構を簡単にでき、さらにｆθレンズ５などのプラスチックレンズの温度上昇が緩やかになり、温度検出による倍率補正が実際のプラスチックレンズの温度変化にほぼ追従するようになるため、倍率補正精度が向上する。【選択図】図２
2006098863.tif 000002
【特許請求の範囲】
【請求項１】
光学系を介して、電子写真方式の画像形成装置の感光体上を光ビームで露光走査することにより、前記感光体上に静電潜像の光書込みを行う光ビーム走査装置であって、
前記光ビームを画像信号に基づいて変調して出射する発光部と、前記光ビームを偏向する偏向部と、偏向された前記光ビームが透過するｆθレンズを含む前記光学系と、装置内の温度を検出する温度センサと、この検出温度に基づいて前記感光体上の静電潜像の主走査方向の倍率誤差を補正する第１の補正手段とを備えた光ビーム走査装置において、
前記偏向器を構成するポリゴンミラーを、前記光ビームの透過部を備えた密閉ケースによって被覆したことを特徴とする光ビーム走査装置。
【請求項２】
電子写真方式の画像形成装置に複数設置されて、各光学系を介して、電子写真方式の画像形成装置の少なくとも１つの感光体上を複数の光ビームでそれぞれ露光走査することにより、前記感光体に静電潜像の光書込みを行う光ビーム走査装置であって、
前記各光ビームを画像信号に基づいて変調して出射する発光部と、前記各光ビームを偏向する偏向部と、偏向された前記各光ビームが透過するｆθレンズを含む前記光学系とを各装置にそれぞれ設け、かつ装置内の温度を検出する温度センサを少なくともいずれか１つの装置に設置し、この検出温度に基づいて前記感光体上の静電潜像の主走査方向の倍率誤差を補正する第１の補正手段を各装置にそれぞれ設けた光ビーム走査装置において、
前記偏向器を構成するポリゴンミラーを、前記光ビームの透過部を備えた密閉ケースによって被覆したことを特徴とする光ビーム走査装置。
【請求項３】
電子写真方式の画像形成装置に複数設置されて、各光学系を介して、電子写真方式の画像形成装置の複数の感光体上を光ビームでそれぞれ露光走査することにより、前記感光体に静電潜像の光書込みを行う光ビーム走査装置であって、
前記光ビームを画像信号に基づいて変調して出射する発光部を各装置にそれぞれ設け、前記各光ビームを偏向する偏向部を１つ設置して、この偏向部にて前記各光ビームを所定の感光体に振り分け、さらに、偏向された前記光ビームが透過するｆθレンズを含む前記光学系と、装置内の温度を検出する温度センサと、この検出温度に基づいて前記感光体上の静電潜像の主走査方向の倍率誤差を補正する第１の補正手段とを各装置にそれぞれ設けた光ビーム走査装置において、
前記偏向器を構成するポリゴンミラーを、前記光ビームの透過部を備えた密閉ケースによって被覆したことを特徴とする光ビーム走査装置。
【請求項４】
光学系を介して、電子写真方式の画像形成装置の複数の感光体上をそれぞれ独立した光ビームで露光走査することにより、前記各感光体上に静電潜像の光書込みを行う光ビーム走査装置であって、
前記各光ビームを画像信号に基づいて変調して出射する複数の発光部と、前記各光ビームを偏向する偏向部を１つ設置して、この偏向部にて前記各光ビームを所定の感光体に振り分け、さらに、偏向された前記光ビームが透過するｆθレンズを含む前記光学系と、装置内の温度を検出する温度センサと、この検出温度に基づいて前記感光体上の静電潜像の主走査方向の倍率誤差を補正する第１の補正手段とを備えた光ビーム走査装置において、
前記偏向器を構成するポリゴンミラーを、前記光ビームの透過部を備えた密閉ケースによって被覆したことを特徴とする光ビーム走査装置。
【請求項５】
前記温度センサにより前記光ビーム走査装置内のプラスチックレンズの温度を検出することを特徴とする請求項１〜４いずれか１項記載の光ビーム走査装置。
【請求項６】
前記プラスチックレンズが前記ｆθレンズであることを特徴とする請求項１〜５いずれか１項記載の光ビーム走査装置。
【請求項７】
前記温度センサを前記装置内に複数個設け、前記第１の補正手段により前記複数の温度センサによる検出温度の平均値に基づいて前記補正を行うことを特徴とする請求項１〜４いずれか１項記載の光ビーム走査装置。
【請求項８】
前記感光体の主走査方向における前記光書込みの書き出し位置を補正する第２の補正手段を備えたことを特徴とする請求項１〜４のいずれか１項記載の光ビーム走査装置。
【請求項９】
光学系を介して、感光体上を光ビームで露光走査することにより、前記感光体上に静電潜像の光書込みを行う光ビーム走査装置を搭載した電子写真方式の画像形成装置において、
前記光ビーム走査装置として請求項１〜８いずれか１項記載の光ビーム走査装置を搭載すると共に、静電潜像をトナーで現像する現像器を備えたことを特徴とする画像形成装置。
【請求項１０】
光学系を介して、複数の感光体上を複数色に対応して出射された光ビームで露光走査することにより、前記感光体上に複数色に対応した静電潜像の光書込みを行う複数の光ビーム走査装置を搭載した電子写真方式の画像形成装置において、
前記光ビーム走査装置として請求項１に記載の光ビーム走査装置を複数搭載すると共に、前記複数の静電潜像をカラートナーで現像する現像器を備えたことを特徴とする画像形成装置。
【請求項１１】
光学系を介して、複数の感光体上を複数色に対応して出射された光ビームで露光走査することにより、前記各感光体上に複数色に対応した静電潜像の光書込みを行う光ビーム走査装置を搭載した電子写真方式の画像形成装置において、
前記光ビーム走査装置として請求項２〜４いずれか１項に記載の光ビーム走査装置を搭載すると共に、前記複数の静電潜像をカラートナーで現像する現像器を備えたことを特徴とする画像形成装置。
【発明の詳細な説明】
【技術分野】
【０００１】
本発明は、感光体上を光ビームで露光走査することにより、感光体上に静電潜像の光書込みを行う光ビーム走査装置、およびその光ビーム走査装置を搭載した電子写真方式の画像形成装置に関するものである。
【背景技術】
【０００２】
光ビーム走査装置を用いた画像形成装置では、レーザビームを画像データにより変調し、光偏向部のポリゴンミラーを回転することにより主走査方向に等角速度走査し、走査された光を走査レンズを介して、感光体上の走査を行っている。
【０００３】
しかしながら、従来の装置において、特に走査レンズなどにプラスチックレンズを用いた場合には、環境温度の変化、あるいは装置内温度の変化などによって、プラスチックレンズの形状，屈折率が変化する。このため、感光体の像面での走査位置が変化し、主走査方向の倍率誤差が発生し、高品位の画像を得られなくなる。また、複数のレーザビーム，レンズを用いて、複数色の画像を形成する装置においては、それぞれのレーザビームの倍率誤差による色ずれが発生して、高品位の画像が得られなくなる。
【０００４】
このようなことから、環境温度の変化、あるいは装置内温度の変化などによって発生する画像の倍率誤差，色ずれを補正する手段が特許文献１に開示されている。
【０００５】
特許文献１に開示された技術は、光ビーム走査装置の温度を検出する温度センサと、この検出温度に基づいて感光体上の静電潜像の主走査方向の倍率誤差を補正する補正手段とを備えたものである。
【０００６】
主走査方向の画像の倍率誤差の発生は、光ビーム走査装置の温度変化という要因が大きく、特に光ビーム走査装置内に設置されたプラスチックレンズの温度変化によることが分かっているため、特許文献１に開示された技術では、光ビーム走査装置の温度を検出することにより、主走査方向の画像の倍率誤差を補正するようにしている。
【特許文献１】特開２００１−５１２１４号公報
【発明の開示】
【発明が解決しようとする課題】
【０００７】
しかし、前記従来技術では、プラスチック製のｆθレンズが、モータ駆動部および高速回転するポリゴンミラーによって、他部分よりも温度の高い偏向器部分からの空気（風）を直接受けることから、プラスチックレンズの温度上昇自体が大きくなり、また温度上昇変動が急になってしまうことから、以下のような不具合が生じていた。
・温度検出による倍率補正の補正制御範囲を大きくしなければならず、制御機構が複雑となり、コストアップとなる。
・温度検出による倍率補正が、実際のプラスチックレンズの温度変化に追いつかず、倍率補正精度が低下してしまう。
【０００８】
本発明の目的は、温度検出による倍率補正制御機構を備えた光ビーム走査装置および画像形成装置において、その制御機構が複雑になることを防止し、制御機構にかかるコストを抑えること、およびその倍率補正精度の向上を図ることにある。
【課題を解決するための手段】
【０００９】
前記目的を達成するため、請求項１記載の発明は、光学系を介して、電子写真方式の画像形成装置の感光体上を光ビームで露光走査することにより、前記感光体上に静電潜像の光書込みを行う光ビーム走査装置であって、前記光ビームを画像信号に基づいて変調して出射する発光部と、前記光ビームを偏向する偏向部と、偏向された前記光ビームが透過するｆθレンズを含む前記光学系と、装置内の温度を検出する温度センサと、この検出温度に基づいて前記感光体上の静電潜像の主走査方向の倍率誤差を補正する第１の補正手段とを備えた光ビーム走査装置において、前記偏向器を構成するポリゴンミラーを、前記光ビームの透過部を備えた密閉ケースによって被覆したことを特徴とし、この構成によって、ポリゴンミラーを囲むように密閉することにより、他部分よりも温度が高くなる偏向器部分の空気（風）を、ポリゴンミラーの回転によってｆθレンズが直接受けることがなくなり、ｆθレンズの温度上昇自体が小さくなると共に、急激な温度上昇変動が発生することがなくなり、温度検出による倍率補正の補正制御範囲を小さくすることができ、制御機構を簡単にすることが可能になり、温度検出による倍率補正制御機構のコストを抑えることができると共に、ｆθレンズの温度上昇が緩やかになるため、温度検出による倍率補正が実際のｆθレンズの温度変化にほぼ追従するようになるので、倍率補正精度を向上させることができる。
【００１０】
請求項２に記載の発明は、電子写真方式の画像形成装置に複数設置されて、各光学系を介して、電子写真方式の画像形成装置の少なくとも１つの感光体上を複数の光ビームでそれぞれ露光走査することにより、前記感光体に静電潜像の光書込みを行う光ビーム走査装置であって、前記各光ビームを画像信号に基づいて変調して出射する発光部と、前記各光ビームを偏向する偏向部と、偏向された前記各光ビームが透過するｆθレンズを含む前記光学系とを各装置にそれぞれ設け、かつ装置内の温度を検出する温度センサを少なくともいずれか１つの装置に設置し、この検出温度に基づいて前記感光体上の静電潜像の主走査方向の倍率誤差を補正する第１の補正手段を各装置にそれぞれ設けた光ビーム走査装置において、前記偏向器を構成するポリゴンミラーを、前記光ビームの透過部を備えた密閉ケースによって被覆したことを特徴とし、この構成によって、複数設置される光ビーム走査装置においても、各ポリゴンミラーを囲むように密閉することにより、他部分よりも温度が高くなる偏向器部分の空気（風）を、ポリゴンミラーの回転によってｆθレンズが直接受けることがなくなり、ｆθレンズの温度上昇自体が小さくなると共に、急激な温度上昇変動が発生することがなくなり、温度検出による倍率補正の補正制御範囲を小さくすることができ、制御機構を簡単にすることが可能になり、温度検出による倍率補正制御機構のコストを抑えることができると共に、ｆθレンズの温度上昇が緩やかになるため、温度検出による倍率補正が実際のｆθレンズの温度変化にほぼ追従するようになるので、倍率補正精度を向上させることができる。
【００１１】
請求項３に記載の発明は、電子写真方式の画像形成装置に複数設置されて、各光学系を介して、電子写真方式の画像形成装置の複数の感光体上を光ビームでそれぞれ露光走査することにより、前記感光体に静電潜像の光書込みを行う光ビーム走査装置であって、前記光ビームを画像信号に基づいて変調して出射する発光部を各装置にそれぞれ設け、前記各光ビームを偏向する偏向部を１つ設置して、この偏向部にて前記各光ビームを所定の感光体に振り分け、さらに、偏向された前記光ビームが透過するｆθレンズを含む前記光学系と、装置内の温度を検出する温度センサと、この検出温度に基づいて前記感光体上の静電潜像の主走査方向の倍率誤差を補正する第１の補正手段とを各装置にそれぞれ設けた光ビーム走査装置において、前記偏向器を構成するポリゴンミラーを、前記光ビームの透過部を備えた密閉ケースによって被覆したことを特徴とし、この構成によって、複数設置される光ビーム走査装置において偏向部は１つのみ設置してなるものでも、ポリゴンミラーを囲むように密閉することにより、他部分よりも温度が高くなる偏向器部分の空気（風）を、ポリゴンミラーの回転によってｆθレンズが直接受けることがなくなり、ｆθレンズの温度上昇自体が小さくなると共に、急激な温度上昇変動が発生することがなくなり、温度検出による倍率補正の補正制御範囲を小さくすることができ、制御機構を簡単にすることが可能になり、温度検出による倍率補正制御機構のコストを抑えることができると共に、ｆθレンズの温度上昇が緩やかになるため、温度検出による倍率補正が実際のｆθレンズの温度変化にほぼ追従するようになるので、倍率補正精度を向上させることができる。
【００１２】
請求項４に記載の発明は、光学系を介して、電子写真方式の画像形成装置の複数の感光体上をそれぞれ独立した光ビームで露光走査することにより、前記各感光体上に静電潜像の光書込みを行う光ビーム走査装置であって、前記各光ビームを画像信号に基づいて変調して出射する複数の発光部と、前記各光ビームを偏向する偏向部を１つ設置して、この偏向部にて前記各光ビームを所定の感光体に振り分け、さらに、偏向された前記光ビームが透過するｆθレンズを含む前記光学系と、装置内の温度を検出する温度センサと、この検出温度に基づいて前記感光体上の静電潜像の主走査方向の倍率誤差を補正する第１の補正手段とを備えた光ビーム走査装置において、前記偏向器を構成するポリゴンミラーを、前記光ビームの透過部を備えた密閉ケースによって被覆したことを特徴とし、この構成によって、偏向部は１つのみ設置され、複数の感光体上をそれぞれ独立した光ビームで露光走査する光ビーム走査装置でも、ポリゴンミラーを囲むように密閉することにより、他部分よりも温度が高くなる偏向器部分の空気（風）を、ポリゴンミラーの回転によってｆθレンズが直接受けることがなくなり、ｆθレンズの温度上昇自体が小さくなると共に、急激な温度上昇変動が発生することがなくなり、温度検出による倍率補正の補正制御範囲を小さくすることができ、制御機構を簡単にすることが可能になり、温度検出による倍率補正制御機構のコストを抑えることができると共に、ｆθレンズの温度上昇が緩やかになるため、温度検出による倍率補正が実際のｆθレンズの温度変化にほぼ追従するようになるので、倍率補正精度を向上させることができる。
【００１３】
請求項５に記載の発明は、請求項１〜４いずれか１項記載の光ビーム走査装置において、温度センサにより光ビーム走査装置内のプラスチックレンズの温度を検出することを特徴とし、この構成によって、主走査方向の画像の倍率誤差の主要因であるプラスチックレンズの温度を検出して主走査方向の画像の倍率誤差を補正するため、主走査方向の画像の倍率誤差を精度よく補正することができる。
【００１４】
請求項６に記載の発明は、請求項１〜５いずれか１項記載の光ビーム走査装置において、プラスチックレンズがｆθレンズであることを特徴とし、この構成によって、主走査方向の画像の倍率誤差の主要因であるプラスチックレンズで構成されたｆθレンズの温度を検出して主走査方向の画像の倍率誤差を補正するため、主走査方向の画像の倍率誤差を精度よく補正することができる。
【００１５】
請求項７に記載の発明は、請求項１〜４いずれか１項記載の光ビーム走査装置において、温度センサを装置内に複数個設け、第１の補正手段により複数の温度センサによる検出温度の平均値に基づいて補正を行うことを特徴とし、この構成によって、装置内の各部の温度を精度よく検出することができるため、主走査方向の画像の倍率誤差を精度よく補正することができる。
【００１６】
請求項８に記載の発明は、請求項１〜４のいずれか１項記載の光ビーム走査装置において、感光体の主走査方向における光書込みの書き出し位置を補正する第２の補正手段を備えたことを特徴とし、この構成によって、主走査方向の画像位置ずれも補正することができる。
【００１７】
請求項９に記載の発明は、光学系を介して、感光体上を光ビームで露光走査することにより、前記感光体上に静電潜像の光書込みを行う光ビーム走査装置を搭載した電子写真方式の画像形成装置において、前記光ビーム走査装置として請求項１〜８いずれか１項記載の光ビーム走査装置を搭載すると共に、静電潜像をトナーで現像する現像器を備えたことを特徴とし、この構成によって、請求項１〜８のいずれかに係る発明の作用効果を奏し、良好な画質の画像形成が行われる。
【００１８】
請求項１０に記載の発明は、光学系を介して、複数の感光体上を複数色に対応して出射された光ビームで露光走査することにより、前記感光体上に複数色に対応した静電潜像の光書込みを行う複数の光ビーム走査装置を搭載した電子写真方式の画像形成装置において、前記光ビーム走査装置として請求項１に記載の光ビーム走査装置を複数搭載すると共に、前記複数の静電潜像をカラートナーで現像する現像器を備えたことを特徴とし、この構成によって、請求項１に係る発明の作用効果を奏し、良好な画質のカラー画像形成が行われる。
【００１９】
請求項１１に記載の発明は、光学系を介して、複数の感光体上を複数色に対応して出射された光ビームで露光走査することにより、前記各感光体上に複数色に対応した静電潜像の光書込みを行う光ビーム走査装置を搭載した電子写真方式の画像形成装置において、前記光ビーム走査装置として請求項２〜４いずれか１項に記載の光ビーム走査装置を搭載すると共に、前記複数の静電潜像をカラートナーで現像する現像器を備えたことを特徴とし、この構成によって、請求項２〜４のいずれかに係る発明の作用効果を奏し、良好な画質のカラー画像形成が行われる。
【発明の効果】
【００２０】
本発明に係る光ビーム走査装置によれば、密閉ケースによりポリゴンミラー全体を囲むように密閉することにより、他部位よりも温度が高くなる偏向器部分の空気（風）を、ポリゴンミラーの回転によってｆθレンズが直接受けることがなくなり、ｆθレンズの温度上昇自体が小さくなると共に、急激な温度上昇，変動が発生することがなくなり、温度検出による倍率補正の補正制御範囲を小さくすることができ、制御機構を簡単にすることが可能になり、温度検出による倍率補正制御機構のコストを抑えることができると共に、ｆθレンズの温度上昇が緩やかになるため、温度検出による倍率補正が実際のｆθレンズの温度変化にほぼ追従するようになるので、倍率補正精度を向上させることができる。
【００２１】
また、本発明に係る光ビーム走査装置を搭載した画像形成装置によれば、前記効果を受けて、良好な画質の画像形成が行われる。
【発明を実施するための最良の形態】
【００２２】
以下、本発明の実施の形態について図面を参照して説明する。
【００２３】
（実施形態１）
図１は本発明の実施形態１を説明するための画像形成装置の感光体回りの概略構成図である。
【００２４】
図１に示すように、画像形成装置１は光ビーム走査装置２を備えている。光ビーム走査装置２は、所定の画像データに基づいて点灯する発光部であるＬＤ（Laser Diode）２３（図３参照）を備え、このＬＤ２３が発する光ビーム（レーザ光）Ｌは、コリメートレンズ（図示せず）により平行光束化され、シリンダレンズ（図示せず）を通り、ポリゴンモータ３とポリゴンミラー４により構成される偏向部に入射し、偏向部のポリゴンモータ３によって回転するポリゴンミラー４によって偏向され、プラスチックレンズで構成されるｆθレンズ５を通り、さらにＢＴＬ（Barrel Toroidal Lens）６を通り、ミラー７によって反射されて、感光体８上を走査して、静電潜像を光書込みする。
【００２５】
なお、ｆθレンズ５は、ポリゴンミラー４によって偏向された光ビームＬを等角速度走査光から等速度走査光にするものであり、ＢＴＬ６は、副走査方向のピント合わせ（集光機能と副走査方向の位置補正（面倒れ補正など））を行うものである。
【００２６】
感光体８の回りには、感光体８を帯電する帯電器９と、感光体８上の静電潜像をトナーで現像する現像器１０と、感光体８上のトナー像を記録紙に転写する転写器１１と、感光体８上の残留トナーを除去するクリーニングユニット１２と、感光体８上を除電する除電器１３とが配置されており、通常の電子写真プロセスである帯電，露光，現像，転写により記録紙上にトナー像が転写される。そして、定着装置（図示せず）によって記録紙上の転写トナー像が定着される。
【００２７】
図２は本実施形態における偏向部のポリゴンモータの詳細を示す拡大一部断面図である。
【００２８】
図２に示すように、ポリゴンミラー４は、ポリゴンモータ３に設けられた下密閉ケース１４に固定された上密閉ケース１５により、ポリゴンミラー４を囲むように密閉状態で設置されている。ただし、密閉状態を保ちつつ、かつ光ビームＬの透過を可能にするように、上密閉ケース１５における光ビームＬが通過する部分には、ビーム透過部である防音ガラス１６が設けられている。
【００２９】
図３は実施形態１における光ビーム走査装置の各部の電気的な接続を示すブロック図である。
【００３０】
図３に示すように、感光体８における主走査方向の画像形成開始位置より前に光ビームＬを検出する同期センサ１７が配置されており、ｆθレンズ５を透過した光ビームＬがミラー１８によって反射され、レンズ１９によって集光され、同期センサ１７に入射するような構成となっている。同期センサ１７は、同期検知信号ＤＥＴＰになる光ビーム走査同期信号の検出を行うためのものである。
【００３１】
光ビームＬが走査することにより、同期センサ１７から同期検知信号ＤＥＴＰが出力され、位相同期クロック発生部２０に送られる。書込クロック生成部２１では、ＬＤ２３を変調させるためのクロック周波数を決定し、それを生成する機能を有している。さらに、そのクロック周波数によって主走査方向の画像倍率が変わることを利用し、ｆθレンズ５の温度検出結果に基づいて、クロック周波数を可変する倍率補正機能も有している。
【００３２】
倍率補正されたクロックＷＣＬＫと同期センサ１７からの同期検知信号ＤＥＴＰを位相同期クロック発生部２０に送り、同期検知信号ＤＥＴＰに同期したクロックＶＣＬＫを発生させ、ＬＤ２３を点灯制御するＬＤ駆動部２２に送る。ＬＤ駆動部２２では、クロックＶＣＬＫに同期した所定の画像信号に応じてＬＤ２３を点灯制御する。そして、ＬＤ２３から出射した光ビームＬが、ポリゴンミラー４に偏向され、ｆθレンズ５を通り、感光体８上を走査することになる。
【００３３】
ｆθレンズ５には、その温度を検出するための温度センサ２４が設けられており、温度センサ２４の出力を温度検出部２５に送ることにより温度データＴが生成される。補正量記憶部２６にはｆθレンズ５の温度に対するクロックＷＣＬＫの周波数設定データが記憶されている。このデータは、図４に示すｆθレンズ５の温度変化による光ビームの位置ずれ量から求めている。温度データＴを補正量記憶部２６に送ることによって、温度データＴに対応しているクロックＷＣＬＫの周波数設定データＤｔが出力され、書込クロック生成部２１に送られ、倍率が補正されるクロックＷＣＬＫが生成される。
【００３４】
なお、位相同期クロック発生部２０，書込クロック生成部２１，補正量記憶部２６などの機能は、画像形成装置１を制御する制御部であるマイクロコンピュータ（マイコン）に具備させることができる。
【００３５】
図５は実施形態１における倍率補正処理のフローチャートであり、温度センサ２４によりｆθレンズ５の温度Ｔを検出する（Ｓ１）。そして、その温度Ｔに対する補正データＤｔを補正量記憶部２６から読み出し（Ｓ２）、書込クロック生成部２１に送る。書込クロック生成部２１において、補正データＤｔに対する書込クロック周波数を生成する（ステップＳ３）。該ステップＳ３が第１の補正手段として機能する。
【００３６】
図５に示す動作フローは画像形成直前に行われ、連続プリント（画像形成）の際はプリント中に温度変化が生じて倍率が変動すると考えられるため、記録紙間（画像の形成と形成の合間）で補正動作を行えばよい。
【００３７】
したがって、主走査方向の画像倍率誤差の発生は、光ビーム走査装置２の温度変化が要因となることが大きく、特に、光ビーム走査装置２内に設置されているプラスチックレンズの温度変化によって生じることが分かっているため、光ビーム走査装置２の温度を検出することにより、簡易な構成により、主走査方向の画像の倍率誤差を補正することができる。
【００３８】
温度センサ２４の配置位置は、光ビーム走査装置２部分であればｆθレンズ５でなくてもよいが、主走査方向の画像の倍率誤差の主要因であるプラスチックレンズで構成されたｆθレンズ５の温度を検出して主走査方向の画像の倍率誤差を補正した方が、画像の倍率誤差を精度よく補正することができる。
【００３９】
本実施形態では、図２に示すように、ポリゴンミラー４は下密閉ケース１４と上密閉ケース１５とにより密閉状態となっている。このような構成にすることにより、モータ駆動部であるポリゴンモータ３と高速回転するポリゴンミラー４との存在により他部位よりも温度の高くなる偏向器部分からの空気流（風）を、ポリゴンミラー４の回転によってｆθレンズ５が直接受けることがなくなり、このため従来技術とは異なり、ｆθレンズ５の温度上昇自体が小さくなると共に、急激な温度上昇変動が生じることがなくなる。
【００４０】
よって、温度検出による倍率補正の補正制御範囲を小さくすることができ、制御機構を簡単にすることができるため、温度検出による倍率補正制御機構のコストを抑えることが可能になる。
【００４１】
また、プラスチックレンズの温度上昇が緩やかになるので、温度検出による倍率補正が実際のプラスチックレンズの温度変化にほぼ追従するようになるため、倍率補正精度が向上することになる。
【００４２】
（実施形態２）
図６は本発明の実施形態２における光ビーム走査装置の各部の電気的な接続を示すブロック図である。なお、以下の説明において、既に説明した部材に対応する共通部材などには同一符号を付して詳しい説明は省略する。
【００４３】
実施形態２の画像形成装置が実施形態１と相違する点は、光ビーム走査装置２の構成であって、ポリゴンモータ３の回転数を制御することにより画像倍率を補正する点で相違しているが、その他の事項は実施形態１と同様の構成である。
【００４４】
すなわち、補正量記憶部２６にはｆθレンズ５の温度に対するポリゴンモータ３の回転数制御用のクロックＰＣＬＫの周波数設定データが記憶されている。このデータは、図４に示すｆθレンズ５の温度変化による光ビームＬの位置ずれ量から求めている。温度データＴを補正量記憶部２６に送ることにより、温度データＴに対するクロックＰＣＬＫの周波数設定データＤｔが出力され、クロック生成部２７に送られ、クロック生成部２７でクロックＰＣＬＫが生成される。このクロックＰＣＬＫを、ポリゴンモータ３の駆動を制御するポリゴンモータ駆動制御部２８に送り、ポリゴンミラー４の回転数を制御して画像倍率を補正する。なお、クロック生成部２７などの機能も、画像形成装置１を制御するマイコンに具備させることができる。
【００４５】
図７は実施形態２における倍率補正処理のフローチャートであり、温度センサ２４によりｆθレンズ５の温度Ｔを検出する（Ｓ４）。そして、その温度Ｔに対する補正データＤｔを補正量記憶部２６から読み出し（Ｓ５）、クロック生成部２７に送る。クロック生成部２７において、補正データＤｔに対する回転数制御周波数を生成する（Ｓ６）。
【００４６】
（実施形態３）
図８は本発明の実施形態３における光ビーム走査装置の各部の電気的な接続を示すブロック図である。
【００４７】
実施形態３は、実施形態１とは光ビーム走査装置２における温度を検出する温度センサ２４を複数個（本例では３個）設置した点が異なる。
【００４８】
すなわち、実施形態３では温度センサ２４をｆθレンズ５の左右と中央の３個設置している。実施形態３における温度検出部２５は、各温度センサ２４で検出した温度の平均値を算出する平均値算出部の機能も具備する。そして、算出した温度データＴａを補正量記憶部２６に送る。その他の構成などについては実施形態１と同様である。
【００４９】
図９は実施形態３における倍率補正処理のフローチャートであり、各温度センサ２４によりｆθレンズ５の左右両側部と中央部の温度Ｔ１，Ｔ２，Ｔ３をそれぞれ検出して（Ｓ７）、温度検出部２５において温度Ｔ１，Ｔ２，Ｔ３の平均温度Ｔａを算出する（Ｓ８）。そして、その平均温度Ｔａに対する補正データＤｔを補正量記憶部２６から読み出し（Ｓ９）、書込クロック生成部２１に送る。書込クロック生成部２１において、補正データＤｔに対する書込クロック周波数を生成する（Ｓ１０）。
【００５０】
このように実施形態３では、ｆθレンズ５における複数個所で温度Ｔ１，Ｔ２，Ｔ３を検出し、その平均温度Ｔａを求め、この平均温度Ｔａに基づいて倍率補正処理を行うことにより、倍率誤差の補正を精度よく行うことができる。
【００５１】
（実施形態４）
図１０は本発明の実施形態４を説明するための画像形成装置の概略構成を示す斜視図である。
【００５２】
実施形態４の画像形成装置２９は、４ドラム方式であり、４色（イエロー，マゼンタ，シアン，ブラック）のトナー画像を重ね合わせたカラー画像を形成するために、それぞれ光ビーム走査装置２と感光体８を具備する４組の画像形成部３０ａ，３０ｂ，３０ｃ，３０ｄを備えている。各画像形成部３０ａ，３０ｂ，３０ｃ，３０ｄは、実施形態１，２または３の画像形成装置１と同様の構成であって、各画像形成部３０ａ，３０ｂ，３０ｃ，３０ｄにおける光ビーム走査装置２のｆθレンズ５に、それぞれ少なくとも１つの温度センサ２４を設置している。
【００５３】
図１０に示すように、画像形成装置２９は、光ビーム走査装置２にそれぞれ温度センサ２４を設置した４組の画像形成部３０ａ，３０ｂ，３０ｃ，３０ｄを並設した構成であり、転写ベルト３１によって矢印方向に搬送される記録紙３２上に１色目のトナー画像を転写し、次に２色目，３色目，４色目のトナー画像を順次転写することにより、記録紙３２上で４色のトナー画像を重ね合わせて、カラー画像を形成する。転写ベルト３１は搬送用モータ３３により駆動される。
【００５４】
各画像形成部３０ａ，３０ｂ，３０ｃ，３０ｄでの倍率が変動すると、主走査方向の画像位置ずれが生じるが、本実施形態４の場合、各画像形成部３０ａ，３０ｂ，３０ｃ，３０ｄにおいて、それぞれ既述した倍率補正を行うことにより、画像位置ずれの発生を良好に抑えることができる。
【００５５】
（実施形態５）
図１１は本発明の実施形態５における複数の光ビーム走査装置２の各部の電気的な接続を示すブロック図である。実施形態５が実施形態４と異なる点は、画像形成部３０ａ，３０ｂ，３０ｃ，３０ｄの構成である。
【００５６】
すなわち、この画像形成装置２６は、複数の画像形成部３０ａ，３０ｂ，３０ｃ，３０ｄの光ビーム走査装置２のうち、任意の１つの光ビーム走査装置２のｆθレンズ５のみに、その温度を検出する温度センサ２４を設け、その検出された温度を基に、全ての画像形成部３０ａ，３０ｂ，３０ｃ，３０ｄの光ビーム走査装置２において、それぞれ書込クロックＷＣＬＫを生成し、画像倍率を補正する。
【００５７】
なお、図１１においては、光ビーム走査装置２を２つだけ示しているが、他の２つの光ビーム走査装置２も、単一の補正量記憶部２６からクロックＷＣＬＫの周波数設定データＤｔを各々受け取り、クロックＷＣＬＫをそれぞれ生成している。
【００５８】
実施形態５の場合、検出する温度は、全ての光ビーム走査装置２の画像倍率を補正するための代表値であることから、光ビーム走査装置２ごとの温度差、特にｆθレンズ５ごとの温度差があまりない場合に適用される。温度の検出を行う光ビーム走査装置２は、できる限り他との温度差が小さくなる箇所に設置されることが好ましい。例えば図１０に示す画像形成装置２９の場合は、中央２つの画像形成部２７ｂ，２７ｃのいずれか一方で温度を検出するとよい。
【００５９】
このため実施形態５では、温度センサ２４，温度検出部２５などは４つ設ける必要はなく、１つでよいため、実施形態４の画像形成装置２９に比べてコストを低減することができる。
【００６０】
なお、隣り合った画像形成部についてのみ、その温度差、特にｆθレンズ５の温度差があまりない場合は、隣り合わない２つの画像形成部に温度センサ２４を設置して、それぞれの検出温度によって、隣り合う画像形成部の倍率を補正するようにしてもよい。すなわち、この場合には、温度センサ２４，温度検出部２５などを、４つの光ビーム走査装置２のうち２つ設け、２つの検知温度によって、４つの光ビーム走査装置２について画像倍率を補正することになる。
【００６１】
（実施形態６）
図１２は本発明の実施形態６を説明するための画像形成装置の概略構成を示す概念図，図１３は実施形態６の光ビーム走査装置を示す平面図である。実施形態６の画像形成装置２６が実施形態４と異なる点は、実施形態４では各画像形成部３０ａ，３０ｂ，３０ｃ，３０ｄにそれぞれ設けられている光ビーム走査装置２に代えて、単一の光ビーム走査装置３４を設けた構成である。
【００６２】
図１２，図１３に示すように、実施形態６の光ビーム走査装置３４は、２箇所に防音ガラス１６が設けられた上下の密閉ケース１４，１５によって被覆された１つのポリゴンミラー４を用い、ポリゴンミラー４の上方面と下方面とで、異なる色に対応した光ビームＬを偏向走査し、さらにポリゴンミラー４を中心に対向振分走査させることにより、４色分の光ビームＬをそれぞれの感光体８上で走査させるものである。各色（ブラック，シアン，マゼンタ，イエロー）の光ビームＬは、いずれも単一のポリゴンミラー４によって偏向され、各ｆθレンズ５を通り、それぞれ第１ミラー３５，第２ミラー３６で折り返され、さらに、それぞれＢＴＬ６を通って第３ミラー３７で折り返され、各色に対応する感光体８上をそれぞれ走査する。
【００６３】
ブラックに対応した光ビームＬ（ＢＫ）と、イエローに対応した光ビームＬ（Ｙ）は、図１３に示すように、ＬＤ２３からそれぞれ出射し、ＣＹＬ（シリンダレンズ）３８を通り、反射ミラー３９によってポリゴンミラー４の下方面に入射し、ポリゴンミラー４が回転することにより偏向され、ｆθレンズ５を通り、第１ミラー３５によって折り返される。
【００６４】
また、シアンに対応した光ビームＬ（Ｃ）と、マゼンタに対応した光ビーム（Ｍ）は、ＬＤ２３からそれぞれ出射し、ＣＹＬ３８を通り、ポリゴンミラー４の上方面に入射し、ポリゴンミラー４が回転することにより偏向され、ｆθレンズ５を通り、第１ミラー３５によって折り返される。
【００６５】
主走査方向の画像形成開始位置より前に光ビームＬ（Ｙ，Ｍ，Ｃ，ＢＫ）を検出する同期センサ１７は２つ設けられていて、ｆθレンズ５を通った光ビームＬ（Ｙ，Ｍ，Ｃ，ＢＫ）が、ＣＹＭ（シリンダミラー）４０によって反射集光されて、同期センサ１７に入射するような構成となっている。同期センサ１７は、同期検知信号になる光ビーム走査同期信号の検出を行うためのものである。
【００６６】
また、光ビームＬ（ＢＫ）と光ビームＬ（Ｃ）では、共通のＣＹＭ４０および同期センサ１７を使用している。光ビームＬ（Ｙ）と光ビームＬ（Ｍ）についても同様である。同じ同期センサ１７に２つの光ビームＬが入射することになるため、それぞれが検出できるように、それぞれ入射するタイミングが異なるようにしてある。しかし、各光ビームＬ（Ｙ，Ｍ，Ｃ，ＢＫ）に対し、それぞれ１つの同期センサ１７を設けるようにしてもよい。なお、図１３からも分かるように、光ビームＬ（ＢＫ）と光ビームＬ（Ｃ）とに対し、光ビームＬ（Ｙ）と光ビームＬ（Ｍ）とは逆方向に走査するように構成されている。
【００６７】
図４に光ビーム走査装置３４（ｆθレンズ５）の温度変化によるｆθレンズ５透過後の光ビームＬの主走査方向の位置ずれ量を変化を示している。
【００６８】
図４に示すように、温度ａのときを基準とし、温度がｂまで上昇したとすると、ｆθレンズ５の中央部付近では、温度が上昇しても光ビームＬの位置がほとんど変わらない。しかし、ｆθレンズ５の端部になる程、光ビームＬが主走査方向外側にずれていく。なお、図４はレンズの片側半分について示しており、主走査方向中心に対し、反対側でも同様な現象が生じている。このように、主走査方向の画像端部付近については、温度ａの状態に比べ、温度ｂの状態では、ずれ量Ｙの２倍だけ画像が拡大することになり、さらに、同期センサ１７付近と画像端部付近の差（Ｘ−Ｙ）が主走査方向の位置変動量となる。
【００６９】
図１４は倍率補正による主走査方向の画像位置ずれの説明図である。本実施形態では、各光ビームＬをポリゴンミラー４を中心に対向振分走査しているため、対向している光ビームＬについては、図４を参照して説明した画像の倍率変化が、主走査の画像位置ずれとして現れてくる。
【００７０】
このことをマゼンタ画像（Ｍ）とシアン画像（Ｃ）を例にして説明する。２つの色は感光体８上の走査方向が逆である。図１４では分かりやすいように、それぞれの色の画像を上下に分けて示してあるが、実際は重なっていることとする。そして、Ｍ画像の書き出しは左側、Ｃ画像の書き出しは右側とする。また、Ｍ画像とＣ画像について、倍率および書き出し位置とも同じ量だけ変化することとし、形成する画像の主走査方向端部は、図４の主走査方向の画像端部付近に相当するものとする。温度ａでのＭ画像とＣ画像は、倍率および主走査位置とも合っている。
【００７１】
そして、図４にて説明したように、温度ｂまで上昇すると、Ｍ画像については、画像が（Ｙ×２）だけ広がり（拡大）し、さらに主走査書き出し位置も（Ｘ−Ｙ）だけ右側にずれる。Ｃ画像については、画像が（Ｙ×２）だけ広がり（拡大）し、さらに主走査書き出し位置も（Ｘ−Ｙ）だけ左側にずれる。その結果、Ｍ画像とＣ画像では（（Ｘ−Ｙ）×２＋（Ｙ×２））だけ主走査方向の位置ずれが生じる。そこで、前記の方法で倍率補正を実施することにする。そうすると、画像の拡大分についてはＭ画像とＣ画像について補正することができるが、主走査方向の書き出し位置については完全には補正することができず、ｐだけ位置ずれが生じてしまう。
【００７２】
以下、主走査方向の書き出し位置を補正する方法について説明する。
【００７３】
（実施形態７）
図１５は本発明の実施形態７における光ビーム走査装置の電気的な接続を示すブロック図であって、図１５では１色分の画像の光書込みに必要な要素のみを図示している。
【００７４】
図１５に示すように、光ビーム走査装置３４において、主走査方向の画像形成開始位置より前に光ビームＬを検出する同期センサ１７が設けられており、ｆθレンズ５を透過した光ビームＬがＣＹＭ４０によって反射集光され、同期センサ１７に入射するような構成となっている。同期センサ１７は、同期検知信号になるレーザビーム走査同期信号の検出を行うためのものである。
【００７５】
光ビームＬが走査することにより、同期センサ１７から同期検知信号ＤＥＴＰが出力され、同期検知信号遅延部４１に送られる。ｆθレンズ５には、その温度を検出するための温度センサ２４が設けられており、温度センサ２４の出力を温度検出部２５に送ることにより温度データＴが生成される。
【００７６】
補正量記憶部２６には、ｆθレンズ５の温度に対するクロックＷＣＬＫの周波数設定データおよび画像位置ずれ補正データが記憶されている。このデータは、図４に示すｆθレンズ５の温度変化によるレーザビームの位置ずれ量から求めている。温度データＴを補正量記憶部２６に送ることにより、温度データＴに対するクロックＷＣＬＫの周波数設定データおよび画像位置ずれ補正データＤｔが出力され、倍率・位置ずれ制御部４２に送られる。
【００７７】
図１６は前記倍率・位置ずれ制御部の構成を示すブロック図であって、倍率・位置ずれ制御部４２は、クロック生成部４３にてＬＤ２３を変調させるためのクロック周波数を決定し、それを生成する機能を有している。また、そのクロック周波数によって主走査方向の画像倍率が変わることを利用し、補正データＤｔに基づいて、クロック周波数を可変する倍率補正機能も有している。
【００７８】
さらに、位置ずれ補正データ算出部４４にて、倍率補正後に生じる画像位置ずれを補正するために、補正データＤｔと生成されたクロックＷＣＬＫとから位置ずれ補正データａ，ｂを算出している。補正データＤｔにはクロックＷＣＬＫの周波数設定データおよび画像位置ずれ補正データが含まれるが、例えば補正データＤｔが２ｂｉｔ構成でシリアルデータとすると、上位ｂｉｔがクロックＷＣＬＫの周波数設定データであり、下位ｂｉｔが画像位置ずれ補正データであるように分けてもよい。また、補正データＤｔが１６ｂｉｔ幅とすると、上位８ｂｉｔがクロックＷＣＬＫの周波数設定データであり、下位８ｂｉｔが画像位置ずれ補正データであるように分けてもよい。
【００７９】
補正データＤｔとクロックＷＣＬＫから位置ずれ補正データａ，ｂを算出しているが、補正データＤｔは温度に対する位置ずれ量、例えば温度ＴａのときはＡ（ｍｍ）、温度ＴｂのときはＢ（ｍｍ）のような情報であり、それを光ビーム走査装置３４の補正方法に合わせた形、例えばＡ（ｍｍ）が何画素分に相当するかに変換する必要がある。よって、同じ補正データＤｔでも光ビーム走査装置３４によって位置ずれ補正データａ，ｂは異なってくる。そして変換する際、ＷＣＬＫの１周期分以下の位置ずれ量が算出される場合があるため、ＷＣＬＫの１周期の整数倍のずれ量をデータａ、１周期分以下のずれ量をデータｂとしている。
【００８０】
そして、図１５に示すように、倍率補正されたクロックＷＣＬＫを位相同期クロック発生部２０に、また位置ずれ補正データａを主走査書き出し位置制御部４５に、また位置ずれ補正データｂを同期検知信号遅延部４１にそれぞれ送る。
【００８１】
同期検知信号遅延部４１では、同期センサ１７からの同期検知信号ＤＥＴＰを位置ずれ補正データｂに応じて遅延させる。そしてＷＣＬＫの１周期以下のずれ量分だけ遅延された同期検知信号ＤＤＥＴＰが位相同期クロック発生部２０に送られ、クロックＷＣＬＫがＤＤＥＴＰに同期したクロックＶＣＬＫとなり、ＬＤ２３を点灯制御するＬＤ駆動部２２および主走査書き出し位置制御部４５に送られる。
【００８２】
主走査書き出し位置制御部４５では、位置ずれ補正データａおよびクロックＶＣＬＫにより、ＬＤ駆動部２２に送る画像信号のタイミングをＶＣＬＫの１周期分単位で制御している。
【００８３】
ＬＤ駆動部２２では、クロックＶＣＬＫに同期した画像信号に応じてＬＤ２３を点灯制御する。そして、ＬＤ２３から光ビームが出射し、ポリゴンミラー４に偏向され、ｆθレンズ５を通り、感光体８上を走査することになる。
【００８４】
なお、補正量記憶部２６，倍率・位置ずれ制御部４２，同期検知信号遅延部４１，位相同期クロック発生部２０，主走査書き出し位置制御部４５などの機能は、画像形成装置１を制御するマイコンに具備させることができる。
【００８５】
図１７（ａ），（ｂ）に主走査方向書き出し位置補正のタイミングチャートを示す。ＤＥＴＰの立ち上がりエッジが主走査方向の書き出し基準となるが、仮にそのエッジから書込クロックＶＣＬＫが３クロック分のところから書き出しを開始するとする。この場合、同期検知信号遅延部４１ではＤＥＴＰを遅延させず、ＤＥＴＰ＝ＤＤＥＴＰとなる。／ＬＧＡＴＥは主走査方向のゲート信号であって、Ｌレベルで画像データがＬＤ駆動部２２に送られることになる（図１７（ａ））。
【００８６】
ここで、倍率・位置ずれ制御部４２において、倍率を補正して、主走査方向の書き出し位置をクロック１周期分＋１／４周期分だけ遅らせることになったとする。そうすると、ＤＥＴＰを同期検知信号遅延部４１によってＶＣＬＫの１／４周期分だけ遅延させ、その信号ＤＤＥＴＰを位相同期クロック発生部２０に送る。さらに、主走査書き出し位置制御部４５において、ＶＣＬＫの１周期分だけ／ＬＧＡＴＥのタイミングを遅らせる。その結果、図１７（ａ）に示したように、ＤＥＴＰに対し、３クロック分だけ遅らせて／ＬＧＡＴＥを有効にしていたが、補正後（図１７（ｂ））は、４クロック分＋１／４クロック分だけ遅らせて／ＬＧＡＴＥを有効にしている、つまり、１クロック分＋１／４クロック分だけ位置ずれ補正したことになる。
【００８７】
図１８は倍率補正および主走査位置補正の処理のフローチャートであり、温度センサ２４によりｆθレンズ５の温度Ｔを検出する（Ｓ１１）。そして、その温度Ｔに対する補正データＤｔを補正量記憶部２６から読み出し、倍率・位置ずれ制御部４２に送る（Ｓ１２）。そして倍率・位置ずれ制御部４２において、まず、補正データＤｔに対する書込クロック周波数を生成する（Ｓ１３）。次に、補正データＤｔと生成されたクロックＷＣＬＫとから位置ずれ補正データａ，ｂを算出する（Ｓ１４）。そして補正データａ，ｂから主走査方向の書き出し位置を補正する（Ｓ１５）。該ステップＳ１５が第２の補正手段として機能する。
【００８８】
この動作フローは画像形成直前に行い、連続プリント（画像形成）の際はプリント中に温度変化が生じて倍率および位置ずれの変動が生じると考えられるため、記録紙間（画像の形成と形成の合間）で補正動作を行えばよい。
【００８９】
以上説明したように、光ビーム走査装置３４によれば、主走査方向の画像位置ずれも補正することができる
【産業上の利用可能性】
【００９０】
本発明は、電子写真方式の画像形成過程で静電潜像の光書込みに用いられる光ビーム走査装置、およびこの光ビーム走査装置を備えた電子写真方式の画像形成装置に適用され、特に温度検出による倍率補正制御機構における倍率補正精度の向上が要求される光ビーム走査装置および画像形成装置に実施して有効である。
【図面の簡単な説明】
【００９１】
【図１】本発明の実施形態１を説明するための画像形成装置の感光体回りの概略構成図
【図２】本実施形態における偏向部のポリゴンモータの詳細を示す拡大一部断面図
【図３】実施形態１における光ビーム走査装置の各部の電気的な接続を示すブロック図
【図４】本実施形態におけるｆθレンズの温度変化による光ビームの位置ずれ量の説明図
【図５】実施形態１における倍率補正処理のフローチャート
【図６】本発明の実施形態２における光ビーム走査装置の各部の電気的な接続を示すブロック図
【図７】実施形態２における倍率補正処理のフローチャート
【図８】本発明の実施形態３における光ビーム走査装置の各部の電気的な接続を示すブロック図
【図９】実施形態３における倍率補正処理のフローチャート
【図１０】本発明の実施形態４を説明するための画像形成装置の概略構成を示す斜視図
【図１１】本発明の実施形態５における複数の光ビーム走査装置２の各部の電気的な接続を示すブロック図
【図１２】本発明の実施形態６を説明するための画像形成装置の概略構成を示す概念図
【図１３】実施形態６の光ビーム走査装置を示す平面図
【図１４】本実施形態における倍率補正による主走査方向の画像位置ずれの説明図
【図１５】本発明の実施形態７における光ビーム走査装置の電気的な接続を示すブロック図
【図１６】実施形態７における倍率・位置ずれ制御部の構成を示すブロック図
【図１７】（ａ），（ｂ）は実施形態７における主走査方向書き出し位置補正のタイミングチャート
【図１８】実施形態７における倍率補正および主走査位置補正の処理のフローチャート
【符号の説明】
【００９２】
１  画像形成装置
２  光ビーム走査装置
３  ポリゴンモータ
４  ポリゴンミラー
５  ｆθレンズ
６  ＢＴＬ（Barrel Toroidal Lens）
８  感光体
９  帯電体
１０  現像器
１１  転写器
１２  クリーニング器
１３  除電器
１４，１５  密閉ケース
１６  防音ガラス
１７  同期センサ
２０  位相同期クロック発生器
２１  書込クロック生成部（倍率補正部）
２２  ＬＤ駆動部
２３  ＬＤ（Laser Diode）
２４  温度センサ
２５  温度検出部
２６  補正量記憶部
２７  クロック生成部（倍率補正部）
２８  ポリゴンモータ駆動制御部
４１  同期検知信号遅延部
４２  倍率・位置ずれ制御部
４３  クロック生成部
４４  位置ずれ補正データ算出部
４５  主走査書き出し位置制御部
【図１】
2006098863.tif 000003
【図２】
2006098863.tif 000004
【図３】
2006098863.tif 000005
【図４】
2006098863.tif 000006
【図５】
2006098863.tif 000007
【図６】
2006098863.tif 000008
【図７】
2006098863.tif 000009
【図８】
2006098863.tif 000010
【図９】
2006098863.tif 000011
【図１０】
2006098863.tif 000012
【図１１】
2006098863.tif 000013
【図１２】
2006098863.tif 000014
【図１３】
2006098863.tif 000015
【図１４】
2006098863.tif 000016
【図１５】
2006098863.tif 000017
【図１６】
2006098863.tif 000018
【図１７】
2006098863.tif 000019
【図１８】
2006098863.tif 000020